(57)【要約】      （修正有）【課題】映像同士の配置を人手で定める必要がなく、自動的に決定できる映像提供システム、映像分析装置、映像分析方法、及び映像分析プログラムを提供する。【解決手段】複数の映像と映像各々に付与された文字データを対応付けて記憶する記憶部と、文字データを解析する解析部と、解析部の解析結果に基づいて、一覧における、複数の映像各々の配置を決定する配置決定部とを備える。【選択図】図５
2013258639.tif 000002
【特許請求の範囲】
【請求項１】
複数の映像と映像各々に付与された文字データを対応付けて記憶する記憶部と、
前記文字データを解析する解析部と、
前記解析部の解析結果に基づいて、一覧における、前記複数の映像各々の配置を決定する配置決定部と、
を備えることを特徴とする映像提供システム。
【請求項２】
前記配置決定部は、前記解析部の解析結果に基づいて、前記複数の映像の一部が属するグループと前記グループ内での映像の順序と、を決定することを特徴とする請求項１に記載の映像提供システム。
【請求項３】
第１の方向で、前記配置決定部が決定したグループを選択できるように映像を配置し、第２の方向で、グループ内での映像の順序で映像を選択できるように映像を配置する表示部を備えることを特徴とする請求項２に記載の映像提供システム。
【請求項４】
複数の映像各々に付与された文字データを解析する解析部と、
前記解析部の解析結果に基づいて、一覧における、前記複数の映像各々の配置を決定する配置決定部と、
を備えることを特徴とする映像分析装置。
【請求項５】
映像分析装置における映像分析方法であって、
解析部が、複数の映像各々に付与された文字データを解析する解析過程と、
配置決定部が、前記解析過程での解析結果に基づいて、一覧における、前記複数の映像各々の配置を決定する配置決定過程と、
を有することを特徴とする映像分析方法。
【請求項６】
映像分析装置のコンピュータに、
複数の映像各々に付与された文字データを解析する解析手段、
前記解析手段での解析結果に基づいて、一覧における、前記複数の映像各々の配置を決定する配置決定手段と、
を実行させるための映像分析プログラム。
【発明の詳細な説明】
【技術分野】
【０００１】
本発明は、映像提供システム、映像分析装置、映像分析方法、及び映像分析プログラムに関する。
【背景技術】
【０００２】
家庭用テレビをＬＡＮケーブルや光ケーブルなどと繋げることで、双方向の情報通信を行って映像を配信及び受信する技術は既に確立されている。
また、特許文献１や特許文献２などに記載の技術は映像を自動的に解析して映像を早回しなどすることなくダイジェストシーンを自動編集することが可能であり、また特許文献３や特許文献４などに記載の技術は映像中でより被写体がより大きく映っている瞬間を取り出し、１枚の代表画像として抽出することも可能である。
【先行技術文献】
【特許文献】
【０００３】
【特許文献１】特開２００３−３１６３７８号公報
【特許文献２】特開平３−８０７８２号公報
【特許文献３】特開２００６−１９０１７６号公報
【特許文献４】特開２００６−２４４０７４号公報
【発明の概要】
【発明が解決しようとする課題】
【０００４】
放送局からの電波を受信するなどして、映像を視聴する場合、いくつかのボタン、例えば１〜１２までの数字の書かれたボタンがあれば選局をするには十分であった。
しかし、双方向の情報通信を行って映像の配信／受信を行う場合は、視聴者が時間に縛られることなく大量の映像を好きな時間に見始めることが可能になる一方で、視聴する映像を大量の選択肢から選ばなければならない。
上記特許文献１−４記載の技術を用いれば、映像のダイジェストシーンや代表画像を１つ１つ表示装置に表示させることで、視聴者は個々の映像を速覧することはできるが、そもそもどの映像を選択するかを決めなければダイジェストシーンさえ視聴することはできない。
１つ１つの映像に番号を割り当て、リモートコントローラーから番号を入力する手法は、日々映像が更新されると番号の数はすぐに膨大な数になってしまい現実的ではない。
そこで、各映像に座標の情報を保持させて、予め映像の配置を決めておけば、上下左右を表すボタンなど限られた入力手段しかない入力装置でも映像を選択することが可能になる。
しかし、映像の配置を単純な方法、例えば登録された順番に映像を並べる方法などで配置してしまうと、視聴者が限られた入力手段しかない入力装置を用いて所望する映像を探す時、何度もボタンを押す必要が生じ、辿り着くまでに時間がかかってしまう。
一方、視聴者にとって映像を探しやすい構造となる様、人手で配置を決定しようとすると、莫大な手間がかかってしまう。
【０００５】
本発明は上記の点に鑑みてなされたものであり、映像同士の配置を人手で定める必要がなく、自動的に決定できる映像提供システム、映像分析装置、映像分析方法、及び映像分析プログラムを提供する。
【課題を解決するための手段】
【０００６】
（１）本発明は上記の課題を解決するためになされたものであり、本発明の一態様は、複数の映像と映像各々に付与された文字データを対応付けて記憶する記憶部と、前記文字データを解析する解析部と、前記解析部の解析結果に基づいて、一覧における、前記複数の映像各々の配置を決定する配置決定部と、を備えることを特徴とする映像提供システムである。
【０００７】
（２）また、本発明の一態様は、上記の映像提供システムにおいて、前記配置決定部は、前記解析部の解析結果に基づいて、前記複数の映像の一部が属するグループと前記グループ内での映像の順序と、を決定することを特徴とする。
【０００８】
（３）また、本発明の一態様は、上記の映像提供システムにおいて、第１の方向で、前記配置決定部が決定したグループを選択できるように映像を配置し、第２の方向で、グループ内での映像の順序で映像を選択できるように映像を配置する表示部を備えることを特徴とする。
【０００９】
（４）また、本発明の一態様は、複数の映像各々に付与された文字データを解析する解析部と、前記解析部の解析結果に基づいて、一覧における、前記複数の映像各々の配置を決定する配置決定部と、を備えることを特徴とする映像分析装置である。
【００１０】
（５）また、本発明の一態様は、映像分析装置における映像分析方法であって、解析部が、複数の映像各々に付与された文字データを解析する解析過程と、配置決定部が、前記解析過程での解析結果に基づいて、一覧における、前記複数の映像各々の配置を決定する配置決定過程と、を有することを特徴とする映像分析方法である。
【００１１】
（６）また、本発明の一態様は、上記の映像提供システムにおいて、映像分析装置のコンピュータに、複数の映像各々に付与された文字データを解析する解析手段、前記解析手段での解析結果に基づいて、一覧における、前記複数の映像各々の配置を決定する配置決定手段と、を有することを特徴とする映像分析プログラムである。
【発明の効果】
【００１２】
本発明によれば、映像同士の配置を人手で定める必要がなく、自動的に決定できる。
【図面の簡単な説明】
【００１３】
【図１】本発明の実施形態に係る映像配信システムを示す概略図である。
【図２】本実施形態に係る映像の配置を説明するための説明図である。
【図３】本実施形態に係る画面遷移を説明するための説明図である。
【図４】本実施形態に係る映像配信システムの動作を示すシーケンス図である。
【図５】本実施形態に係る配信装置の構成を示す概略ブロック図である。
【図６】本実施形態に係るメタデータ解析部の処理を説明する説明図である。
【図７】本実施形態に係るメタデータ解析部の処理を説明する別の説明図である。
【図８】本実施形態に係る管理テーブルの一例を示す概略図である。
【図９】本実施形態に係るダイジェスト管理テーブルの一例を示す概略図である。
【図１０】本実施形態に係る配置情報の一例を示す概略図である。
【図１１】本実施形態に係る配信装置の動作の一例を示すフローチャートである。
【図１２】本実施形態に係る制御装置の構成を示す概略ブロック図である。
【発明を実施するための形態】
【００１４】
以下、図面を参照しながら本発明の実施形態について詳しく説明する。
図１は、本発明の実施形態に係る映像配信システムを示す概略図である。この図において、映像配信システムは、配信装置１、ネットワークＮ１、制御装置２、入力装置３、及び表示装置４を具備する。ここで、配信装置１は映像を配信する配信側の装置である。また、制御装置２、入力装置３、及び表示装置４は配信された映像を受信して表示する受信側の装置である。なお、制御装置２、入力装置３、及び表示装置４は、例えば、各家庭内に配置されている。
【００１５】
配信装置１は、入力された映像情報に付随するデータ（メタデータ）の文書データ（テキストデータ）を抽出し、抽出した文書データを文書解析する。配信装置１は、文書解析の結果に基づいて、複数の映像情報をカテゴリに分類し、分類した各カテゴリ内における映像の順序（カテゴリ内順序とも称する）を決定する。配信装置１は、分類したカテゴリ（グループ）、及び、決定したカテゴリ内順序に基づいて、映像の配置を決定し、決定した映像の配置を示す配置情報を生成して記憶する。
また、配信装置１は、複数の映像各々について、映像情報、ダイジェスト映像情報、代表画像情報を記憶する。ここで、ダイジェスト映像情報とは、映像が要約されたダイジェスト映像を表す情報である。また、代表画像情報とは、映像中の代表的な静止画を表す情報である。配信装置１は、制御装置２からの要求に従って、記憶する情報を制御装置２へ配信する。
【００１６】
制御装置２は、例えば、ＳＴＢ（Ｓｅｔ  Ｔｏｐ  Ｂｏｘ）である。制御装置２は、ネットワークＮ１を介して受信した映像情報が表す映像を、表示装置４に表示させる制御を行う。例えば、制御装置２は、配信装置１から受信した配置情報に従って、ダイジェスト映像情報が表すダイジェスト映像、及び、代表画像情報が表す代表画像を、表示装置４に表示させる。また、制御装置２は、利用者からの選択に基づいて、配信装置１へ映像情報を要求する。ここで、利用者とは、例えば、配信装置１が配信した映像を見る者である。利用者は、入力装置３によって制御装置２を操作し、また、表示装置４を操作する操作者である。制御装置２は、要求の結果、受信した映像情報が表す映像を、表示装置４に表示させる。
なお、入力装置３は、リモートコントロール装置である。入力装置３は、例えば、上下左右を選択するためのボタン（例えば、十字キー）や決定ボタン等の入力手段を有する。利用者は、入力装置３を用いて、制御装置２を遠隔操作する。
【００１７】
表示装置４は、制御装置２からの制御に従って、映像を表示する。図１では、表示装置４は、表示部の中央部分に、ダイジェスト映像Ｄ１１を表示している。また、表示装置４は、ダイジェスト映像Ｄ１１の左側に代表画像Ｐ１６、右側に代表画像Ｐ１２を表示している。ここで、ダイジェスト映像Ｄ１１、代表画像Ｐ１６、及び代表画像Ｐ１２は、それぞれ異なる映像から生成されたものである。
【００１８】
図２は、本実施形態に係る映像の配置を説明するための説明図である。この図において、ｉ行ｊ列に配置された映像は、映像ｉｊで表される。ここで、同じ行の映像は、後述するカテゴリが同じ映像である。また、ｊは、同一カテゴリ内での映像の順序（カテゴリ内順序）を表す。すなわち、制御装置２及び表示装置４は、垂直方向（第１の方向）で、配信装置１が決定したカテゴリを選択できるように映像を配置し、水平方向（第２の方向）で、グループ内での映像の順序で映像を選択できるように映像を配置する。なお、破線で示された映像ｉｊは、映像の配置が循環していることを表す。例えば、第１行（カテゴリＣ１）において、第６列目の映像１６は、カテゴリ内順序が最後の映像である。この場合、映像１６の次のカテゴリ内順序の映像は、映像１１である。換言すれば、カテゴリＣ１のカテゴリ内順序について、映像１１の前の順序の映像は、映像１６である。
【００１９】
映像ｉｊが選択されている場合、表示装置４は、映像ｉｊのダイジェスト映像Ｄｉｊを表示する。また、表示装置４は、映像ｉｊに隣接する映像ｉ（ｊ−１）、ｉ（ｊ＋１）の代表画像Ｐｉ（ｊ−１）、Ｐｉ（ｊ＋１）を表示する。例えば、図１は、図２における映像１１が選択されている場合のものである。つまり、図１の表示装置４は、一点鎖線で囲まれた領域Ｇ１の部分を表示している。このとき、表示装置４は、映像１１に対応するダイジェスト映像Ｄ１１を表示する。同時に表示装置４は、映像１１と同一のカテゴリＣ１で、カテゴリ内順序が隣接する映像１６、１２に対応する代表画像Ｐ１６、Ｐ１２を表示している。
【００２０】
利用者は、例えば、入力装置３の十字キーを押下することによって、押下された方向にある映像を選択する。例えば、映像ｉｊが選択されている状態で、十字キーの上が押下された場合には映像（ｉ＋１）ｊ、下が押下された場合には映像（ｉ−１）ｊが選択されることとなる。また例えば、映像ｉｊが選択されている状態で、十字キーの左が押下された場合には映像ｉ（ｊ−１）、右が押下された場合には映像ｉ（ｊ＋１）が選択されることとなる。
【００２１】
図３は、本実施形態に係る画面遷移を説明するための説明図である。この図は、入力装置３の十字キーの押下に伴う画面遷移であって、表示装置４の画面遷移を表す。
この図において、画面Ｇ１１は、映像１１が選択されている状態の画面である。画面Ｇ１１には、映像１１に対応するダイジェスト映像Ｄ１１と、映像１１のタイトル等のメタデータと、カテゴリ内順序が隣接する映像１６、１２に対応する代表画像Ｐ１６、Ｐ１２とが表示されている。画面Ｇ１２は、画面Ｇ１１の状態から十字キーの右が押下された場合の画面であり、映像１２が選択されている状態の画面である。画面Ｇ１２には、映像１２に対応するダイジェスト映像Ｄ１２と、カテゴリ内順序が隣接する映像１１、１３に対応する代表画像Ｐ１１、Ｐ１３が表示されている。なお、画面Ｇ１２の状態から十字キーの左が押下された場合、画面Ｇ１１が表示される。
画面Ｇ２１は、画面Ｇ１１の状態から十字キーの下が押下された場合の画面であり、映像２１が選択されている状態の画面である。画面Ｇ２１には、映像２１に対応するダイジェスト映像Ｄ２１と、カテゴリ内順序が隣接する映像２７、２２に対応する代表画像Ｐ２７、Ｐ２２が表示されている。なお、画面Ｇ２１の状態から十字キーの上が押下された場合、画面Ｇ１１が表示される。
【００２２】
以上のように、表示装置４は、表示部の中央部分に選択されている（フォーカスの当たっている）映像のダイジェスト映像とタイトル等のメタデータを配置する。表示装置４は、左右に映像がある場合には、矢印を表示してそれを示し、その映像の代表画像を配置する。ここで、表示装置４は、左右（表示部の一方向。水平方向）に同一カテゴリの映像を、並べて配置する。これにより、利用者は、上下左右などのボタンしか用意されていない入力装置３であっても、利用者は容易に操作でき、所望の映像を迅速に検索することができる。
なお、表示装置４は、上下に映像がある場合に、矢印を表示してそれを示し、その映像の代表画像を配置してもよい。また、表示装置４は、代表画像に代えてダイジェスト映像を表示してもよい。
【００２３】
図４は、本実施形態に係る映像配信システムの動作を示すシーケンス図である。この図は、配信側（配信装置１）及び、受信側（制御装置２、入力装置３、及び表示装置４）の動作を示す。また、ステップＳ１０１〜Ｓ１０３は、映像配信サービスを開始する前の準備期間Ｔ１に行われる処理である。ステップＳ２０１〜Ｓ２０７は、映像配信サービスを開始した後のサービス期間Ｔ２に行われる処理である。
【００２４】
（ステップＳ１０１）配信装置１には、例えばオペレータによって、映像情報が登録される。なお、オペレータとは、例えば、映像を配信する映像配信者であり、配信装置１の操作者である。その後、ステップＳ１０２へ進む。
（ステップＳ１０２）配信装置１には、例えばオペレータによって、ステップＳ１０１で登録された各映像情報に対して、メタデータが登録される。メタデータには、例えば、映像毎の配信期限、解説テキスト、タイトル、撮影者、著者、年月日、キーワード、又はタグ等が含まれている。なお、ステップＳ１０１とＳ１０２は、同じタイミングで行われてもよい。その後、ステップＳ１０３へ進む。
（ステップＳ１０３）配信装置１は、ステップＳ１０１、Ｓ１０２で登録された情報の自動解析を行い、解析結果を記憶する。例えば、配信装置１は、ステップＳ１０１で登録された映像情報を解析して、各映像情報が表す映像のダイジェスト映像及び代表画像を生成して記憶する。
また、配信装置１は、ステップＳ１０２で登録されたメタデータの文書データを、文書解析する。配信装置１は、文書解析の結果に基づいて映像の配置を決定し、決定した映像の配置を示す配置情報を記憶する。その後、ステップＳ２０１へ進む。
【００２５】
（ステップＳ２０１）配信装置１は、後述するステップＳ２０５の要求に基づいて、送信する情報を検索する。例えば、配信装置１は、この要求に含まれる映像識別情報を抽出する。映像識別情報とは、映像を識別する情報である。配信装置１は、抽出した映像識別情報が表す映像のダイジェスト映像情報と、周辺に配置される映像の代表画像情報と、予め記憶する配置情報と、を読み出す。なお、配信装置１は、要求に映像識別情報が含まれていない場合には、映像識別情報を任意に選択してもよいし、要求に含まれるキーワードとメタデータに基づいて映像識別情報を選択してもよい。その後、ステップＳ２０２へ進む。
（ステップＳ２０２）配信装置１は、ステップＳ２０１で検索した情報（配置情報、ダイジェスト映像情報、代表画像情報、映像識別情報等）を、受信側の制御装置２へ送信する。その後、ステップＳ２０３へ進む。
【００２６】
（ステップＳ２０３）制御装置２は、ステップＳ２０２で送信された情報を受信し、受信した情報に従って表示装置４に表示させる（図１、図２、図３参照）。その後、ステップＳ２０４へ進む。
（ステップＳ２０４）利用者は、ステップＳ２０３での表示に基づいて、選択されているダイジェスト映像に対応する映像を視聴するか否かを判断する。この映像を視聴すると判断した場合には、利用者は、入力装置３で「視聴」に対応するキーを押下する。この場合、制御装置２は、入力装置３からの入力に基づいて、選択されているダイジェスト映像に対応する映像識別情報を抽出する。制御装置２は、抽出した映像識別情報を含む視聴映像要求を、配信装置１へ送信する。
一方、この映像を視聴しないと判断した場合には、例えば、入力装置３で十字キーを押下することで、利用者は、別の映像を選択する。この場合、制御装置２は、入力装置３からの入力及び配置情報に基づいて、選択された別の映像の映像識別情報を抽出する。その後、ステップＳ２０５へ進む。
（ステップＳ２０５）制御装置２は、ステップＳ２０４で抽出した映像識別情報を含む要求を生成し、生成した要求を配信装置１へ送信する。その後、ステップＳ２０１へ戻る。
【００２７】
（ステップＳ２０６）配信装置１は、ステップＳ２０５で送信された視聴映像要求から、映像識別情報を抽出する。配信装置１は、抽出した映像識別情報が示す映像情報を読み出す。配信装置１は、読み出した映像情報を制御装置２へ送信する。その後、ステップＳ２０７へ進む。
（ステップＳ２０７）制御装置２は、ステップＳ２０６で送信された映像情報を受信し、受信した映像情報が表す映像を、表示装置４に表示させる。
【００２８】
図５は、本実施形態に係る配信装置１の構成を示す概略ブロック図である。この図において、配信装置１は、入力登録部１０１、映像記憶部１０２、映像解析部１０３、メタデータ解析部１０４、解析結果記憶部１０５、表示部１０６、及び通信部１０７を含んで構成される。
【００２９】
入力登録部１０１は、オペレータからの操作内容を示す操作情報、映像情報、及び、メタデータが入力される。入力登録部１０１は、入力された映像情報及びメタデータを、映像記憶部１０２に記憶させる。ここで、映像情報及びメタデータは、管理テーブル（図８）で管理される。入力登録部１０１は、入力された操作情報を映像解析部１０３及びメタデータ解析部１０４へ出力する。
【００３０】
映像解析部１０３は、入力登録部１０１が入力された操作情報に従って、映像記憶部１０２が記憶する映像情報を解析することで、ダイジェスト映像を生成する。例えば、映像解析部１０３は、対象の映像から、各時刻の音声データを抽出する。なお、時刻とは、例えば、映像の開始時点からの経過時間を表す。映像解析部１０３は、抽出した音声データに基づいて、各時刻における音の強調状態と平静状態を判定する。この判定手法としては、例えば、特開２００３−３１６３７８が知られている。映像解析部１０３は、強調状態と判定した時間の映像をダイジェスト映像として生成する。また、映像解析部１０３は、最も高い強調状態の映像から静止画を抽出し、抽出した静止画を代表画像とする。ただし、本発明は、これに限らず、他の手法によってダイジェスト映像や代表画像を生成してもよいし、また、オペレータが指定した区間（時間）の映像をダイジェスト映像してもよいし、オペレータが指定した時刻の映像を代表画像としてもよい。
映像解析部１０３は、生成したダイジェスト映像を、解析結果記憶部１０５に記憶させる。ここで、ダイジェスト映像及び代表画像は、ダイジェスト管理テーブル（図９）で管理される。
【００３１】
メタデータ解析部１０４は、入力登録部１０１が入力された操作情報に従って、映像記憶部１０２が記憶するメタデータを解析する。メタデータ解析部１０４は、解析結果に基づいて、映像の配置を示す配置情報を生成する。
例えば、メタデータ解析部１０４は、ｔｆ−ｉｄｆ（単語の出現頻度−逆文書頻度）法を用いて、映像のメタデータ各々を、ベクトル空間の座標データに変換する。ｔｆ−ｉｄｆ法については、例えば、“The Text Mining Handbook” Ronen Feldman, James Sanger, Cambridge University Press (2007/02)（ISBN-10: 0521836573）の６８頁に記載されている。この方法を用いれば、メタデータ解析部１０４は、メタデータのテキストデータ中に出現する単語の数などからテキストデータを多次元のベクトル空間上の点に変換し、内容が近いテキスト同士をベクトル空間上でも距離の近い場所に配置させることができる。
メタデータ解析部１０４は、変換後の座標データを、複数のカテゴリに分類する。例えば、メタデータ解析部１０４は、Ｋ−ｍｅａｎｓ法を用いて、座標データを分類する。なお、カテゴリ数は、オペレータが入力してもよいし、予め決められていてもよい。
また、メタデータ解析部１０４は、変換後の座標データを用いて、主成分分析を行う。メタデータ解析部１０４は、カテゴリ毎にそのカテゴリに属する座標データの重心座標を算出し、その重心座標の第１主成分を抽出する。メタデータ解析部１０４は、抽出した第１主成分の値の昇順を、カテゴリの順序（カテゴリ順序とも称する）に決定する。
【００３２】
図６は、本実施形態に係るメタデータ解析部１０４の処理を説明する説明図である。この図において、破線の座標軸は、ベクトル空間を示す。点は、座標データを表し、メタデータ（及び映像）に対応する。この図は、３つのカテゴリＣ１〜Ｃ３に分類されたことを表す。カテゴリＣ１、Ｃ２、Ｃ３の重心座標は、それぞれ、座標Ｇ１、Ｇ２、Ｇ３である。座標軸Ｍ１、Ｍ２は、主成分を表し、例えば、座標軸Ｍ１が第１主成分である。座標Ｇ１、Ｇ２、Ｇ３の第１主成分は、それぞれ、Ｓ１、Ｓ２、Ｓ３である。つまり、メタデータ解析部１０４は、各カテゴリを第１主成分の値の昇順に並べることで、カテゴリＣ１、Ｃ２、Ｃ３の順序（カテゴリ順序）を、それぞれ、１番目、２番目、３番目とする。
【００３３】
メタデータ解析部１０４は、カテゴリ毎に、そのカテゴリに属する座標データを抽出する。メタデータ解析部１０４は、抽出した座標データに基づいて、カテゴリ内順序を決定する。例えば、メタデータ解析部１０４は、抽出した座標データを用いて、主成分分析を行う。メタデータ解析部１０４は、座標データを、第１主成分と第２主成分の平面に写像する。メタデータ解析部１０４は、写像した座標データの重心座標を算出する。メタデータ解析部１０４は、算出した重心座標を原点とする極座標において、偏角が小さい順序を、カテゴリ内順序に決定する。
【００３４】
図７は、本実施形態に係るメタデータ解析部１０４の処理を説明する別の説明図である。この図において、点は、カテゴリＣ１に属する座標データを表す。座標軸Ｍ１１、Ｍ１２は、カテゴリＣ１に属する座標データについての主成分を表し、例えば、座標軸Ｍ１１が第１主成分、座標軸Ｍ１２が第２主成分である。座標データの重心座標は、座標Ｇ１１である。偏角θ１は、座標Ｘ０の偏角を０とした場合における、座標Ｘ１の偏角を表す。なお、偏角を０とする座標は、他の座標データの座標であってもよいし、予め定められた座標であってもよい。１つの破線の矢印は、カテゴリ内順序における前後関係を示す。つまり、破線の矢印を辿る順序が、カテゴリＣ１におけるカテゴリ内順序を表している。
なお、メタデータ解析部１０４は、１つの主成分又は３つ以上の主成分に基づいて、カテゴリ内順序を決定してもよい。例えば、メタデータ解析部１０４は、カテゴリ各々の座標データについて、第１主成分を算出し、算出した第１主成分の値の昇順を、カテゴリ内順序に決定してもよい。
【００３５】
図５に戻って、メタデータ解析部１０４は、決定したカテゴリ順序、及びカテゴリ内順序を含む配置情報（図１０）を生成する。メタデータ解析部１０４は、生成した配置情報を解析結果記憶部１０５に記憶させる。
【００３６】
表示部１０６は、解析結果記憶部１０５が記憶するダイジェスト映像又は配置情報を表示する。なお、オペレータは、この表示を参照して、ダイジェスト映像又は配置情報を登録するか、別のダイジェスト映像又は配置情報を生成させるか、を判定する。オペレータは、判定結果を示す操作を行うことで、この操作内容を示す操作情報を入力登録部１０１へ入力する。
通信部１０７は、制御装置２から受信した要求に基づいて、映像記憶部１０２から映像及びメタデータを読み出し、又は、解析結果記憶部１０５からダイジェスト映像或いは配置情報を読み出す。通信部１０７は、読み出した情報を、制御装置２へ送信する。
【００３７】
図８は、本実施形態に係る管理テーブルの一例を示す概略図である。図示するように管理テーブルは、映像識別情報、映像ファイル、及びメタデータファイルの各項目の列を有している。ここで、映像ファイルは映像情報のファイル名であり、メタデータファイルはメタデータのファイル名である。管理テーブルは、映像識別情報毎に、管理情報を有するテーブルである。例えば、図８の１行目の管理情報は、映像識別情報「００００１」が示す映像情報は、映像情報ファイルが「００００１．ＸＸＸ」であり、メタデータファイルが「Ｍ００００１．ＸＸＸ」であることを表す。
【００３８】
図９は、本実施形態に係るダイジェスト管理テーブルの一例を示す概略図である。図示するようにダイジェスト管理テーブルは、映像識別情報、ダイジェスト映像ファイル、代表画像ファイル、ダイジェスト１、及びダイジェスト２の各項目の列を有している。ここで、ダイジェスト映像ファイルはダイジェスト映像のファイル名であり、代表画像ファイルは代表画像のファイル名である。ダイジェスト映像ファイルのダイジェスト映像は、ダイジェストｍ（ｍ＝１、２、・・・）が示す映像を結合した映像である。ダイジェストｍは、抽出時間の項目を有する。抽出時間は、ダイジェスト映像が映像中のどの時間帯の映像であるかを表す。ダイジェスト管理テーブルは、映像識別情報毎に、ダイジェスト管理情報を有するテーブルである。
【００３９】
例えば、図９の１行目のダイジェスト管理情報は、映像識別情報「００００１」が示す映像情報は、対応するダイジェスト映像ファイルが「Ｄ００００１．ＸＸＸ」であり、代表画像ファイルが「Ｐ００００１．ＸＸ」であることを表す。また、このダイジェスト管理情報は、ファイル名が「Ｄ００００１．ＸＸＸ」のダイジェスト映像は、映像識別情報「００００１」の映像のうち、時刻「００：１５：３６」から時刻「００：１５：５５」の映像と、時刻「００：５６：２６」から時刻「００：５７：０５」の映像と、が結合された映像であることを表す。
【００４０】
図１０は、本実施形態に係る配置情報の一例を示す概略図である。図示するように配置情報は、カテゴリ、カテゴリ内順序、映像識別情報、ダイジェスト映像ファイル、及び代表画像ファイルの各項目の列を有している。ここで、カテゴリＣｎ（ｎ＝１、２、・・・）のｎは、カテゴリ順序を表す。
例えば、図１０の配置情報は、カテゴリ「Ｃ１」でカテゴリ内順序が「１」番目の映像は、映像識別情報「００００３」であり、そのダイジェスト映像ファイルが「Ｄ００００３．ＸＸＸ」であり、代表画像ファイルが「Ｐ００００３．ＸＸ」であることを表す。
【００４１】
図１１は、本実施形態に係る配信装置１の動作の一例を示すフローチャートである。
（ステップＳ３０１）オペレータは、映像情報を入力する。その後、ステップＳ３０２へ進む。
（ステップＳ３０２）配信装置１は、映像情報を記憶することで、映像を登録する。ここで、入力登録部１０１は、入力された映像情報を示す映像識別情報を生成する。入力登録部１０１は、生成した映像識別情報と映像情報ファイルを対応付けた管理情報を生成し、生成した管理情報を管理テーブルに格納する。その後、ステップＳ３０３へ進む。
【００４２】
（ステップＳ３０３）オペレータは、ステップＳ３０１で入力した映像情報のメタデータを入力する。その後、ステップＳ３０４へ進む。
（ステップＳ３０４）配信装置１は、メタデータを記憶することで、メタデータを登録する。ここで、入力登録部１０１は、入力されたメタデータファイルを、ステップＳ３０１で生成した管理情報に追加して記憶させる。その後、ステップＳ３０５へ進む。
【００４３】
（ステップＳ３０５）配信装置１は、ステップＳ３０４で登録したメタデータを解析することで、映像のメタデータ各々を、ベクトル空間の座標データに変換する。その後、ステップＳ３０７へ進む。
（ステップＳ３０６）オペレータは、必要に応じて、ステップＳ３０４で登録したメタデータの解析のためのパラメータ（例えば、カテゴリ数）を入力する。その後、ステップＳ３０７へ進む。
（ステップＳ３０７）配信装置１は、ステップＳ３０５の解析結果と、ステップＳ３０５で入力されたパラメータに基づいて、映像のメタデータ各々を複数のカテゴリに分類し、カテゴリの順序及びカテゴリ内順序を決定する。すなわち、配信装置１は、映像同士の配置を示す配置情報を生成する。その後、ステップＳ３０８へ進む。
【００４４】
（ステップＳ３０８）配信装置１は、ステップＳ３０７で生成した配置情報が示す配置で、映像を並べて表示する。また、配信装置１は、この配置情報を登録するか否かを選択させるボタンを表示する。その後、ステップＳ３０９へ進む。
（ステップＳ３０９）オペレータは、ステップＳ３０８で表示された配置を示す配置情報を登録するか否かを判断する。配置情報を登録すると判断した場合（ＹＥＳ）、オペレータはステップＳ３０８で表示されたボタンのうち「登録する」ことを表すボタンを押下し、ステップＳ３１０へ進む。一方、配置情報を登録しないと判断した場合（ＮＯ）、オペレータはステップＳ３０８で表示されたボタンのうち「登録しない」（別の配置情報を生成する）ことを表すボタンを押下し、ステップＳ３０５へ戻る。
（ステップＳ３１０）配信装置１は、ステップＳ３０９で登録すると判断された配置情報を記憶することで、配置情報を登録する。その後、図１１の動作を終了する。
【００４５】
図１２は、本実施形態に係る制御装置２の構成を示す概略ブロック図である。この図において、制御装置２は、通信部２０１、情報記憶部２０２、入力部２０３、及び表示制御部２０４を含んで構成される。
【００４６】
通信部２０１は、配信装置１と通信を行う。例えば、通信部２０１は、入力部２０３から入力された操作情報に基づいて、配信装置１へ情報を要求する。通信部２０１は、要求の結果、受信した情報（例えば、配置情報とダイジェスト映像情報と代表画像情報、又は、映像情報）を、情報記憶部２０２に記憶させる。
入力部２０３は、利用者からの操作内容を示す操作情報を、通信部２０１及び表示制御部２０４へ出力する。
表示制御部２０４は、入力部２０３から入力された操作情報に基づいて、情報記憶部２０２が記憶する情報が示す映像又は画像を、表示装置４に表示させる。
【００４７】
このように、本実施形態では、映像記憶部１０２は、複数の映像と映像各々に付与されたメタデータ（文字データ）を対応付けて記憶する。メタデータ解析部１０４は、メタデータを解析する。メタデータ解析部１０４は、解析結果に基づいて、一覧における、複数の映像各々の配置を決定する。
これにより、映像配信システムでは、映像同士の配置を人手で定める必要がなく、自動的に決定できる。具体的には、映像配信システムでは、映像のメタデータのテキストデータから自動的に、映像同士の配置を決定するので、上下左右などのボタンしかないリモコンなど入力装置を用いたインターフェースに合わせた映像同士の配置を配信者が人手で定める必要がない。
また、例えば、映像から自動的に抽出した特長量を元に配置を決定した場合、１分の映像と１時間の映像を、映像の解析結果だけで比較しても直感に沿う配置に決定できるとは限らない。これに対して、本実施形態に係る映像配信システムでは、映像のメタデータのテキストデータから自動的に映像同士の配置を決定するので、時間の長さが異なる映像に対しても、直感に沿う配置に決定できる。
また、メタデータ解析部１０４は、複数の映像各々の配置を決定する。具体的には、入力装置３が十字キー等の入力手段を有する場合には、メタデータ解析部１０４は、例えば、複数の映像各々を、十字キーに合わせて、上下左右に選択可能な配置に決定する。これにより、映像配信システムでは、入力装置３の入力手段に合わせた映像同士の配置を、自動的に決定できる。
【００４８】
また、本実施形態では、メタデータ解析部１０４は、解析結果に基づいて、複数の映像の一部が属するカテゴリとカテゴリ内での映像の順序とを決定する。これにより、映像配信システムでは、カテゴリ毎に分類して、映像を配置して提供でき、利用者が所望の映像を迅速に選択できる。
また、本実施形態では、制御装置２及び表示装置４は、垂直方向（第１の方向）で、配信装置１が決定したカテゴリを選択できるように映像を配置し、水平方向（第２の方向）で、グループ内での映像の順序で映像を選択できるように映像を配置する。これにより、利用者は、上下左右などのボタンしか用意されていない入力装置３であっても、利用者は容易に操作でき、所望の映像を迅速に検索することができる。
【００４９】
なお、上記実施形態において、配信装置１は、メタデータ解析部１０４が変換した座標データであって、メタデータの解析結果の座標データを、制御装置２へ送信してもよい。この場合、制御装置２は、例えば利用者からの入力に従って、カテゴリ数を決定する。制御装置２は、送信された座標データと、決定したカテゴリ数と、に基づいて、主成分分析を行う。制御装置２は、上記のメタデータ解析部１０４と同様の処理を行うことで、映像の配置を示す配置情報を生成する。
これにより、映像配信システムでは、利用者がカテゴリの分類を調整できる。また、配信装置１と制御装置２は、座標データを送受信するので、メタデータを送信する場合と比較して、送受信の容量を低減できる。また、配信装置１がメタデータを座標データに変換するので、制御装置２がｔｆ−ｉｄｆ法を用いた処理を実装しなくても、映像の配置を決定できる。
なお、上記実施形態において、オペレータは、映像配信者に限らず、例えば、映像配信者に対して配置情報を提供する者であってもよい。
【００５０】
なお、上述した実施形態における配信装置１、制御装置２の一部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、配信装置１又は制御装置２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における配信装置１及び制御装置２の一部、または全部を、ＬＳＩ（Ｌａｒｇｅ  Ｓｃａｌｅ  Ｉｎｔｅｇｒａｔｉｏｎ）等の集積回路として実現しても良い。配信装置１及び制御装置２の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００５１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００５２】
１・・・配信装置、２・・・制御装置、３・・・入力装置、４・・・表示装置、１０１・・・入力登録部、１０２・・・映像記憶部、１０３・・・映像解析部、１０４・・・メタデータ解析部、１０５・・・解析結果記憶部、１０６・・・表示部、１０７・・・通信部、２０１・・・通信部、２０２・・・情報記憶部、２０３・・・入力部、２０４・・・表示制御部
【図１】
2013258639.tif 000003
【図２】
2013258639.tif 000004
【図３】
2013258639.tif 000005
【図４】
2013258639.tif 000006
【図５】
2013258639.tif 000007
【図６】
2013258639.tif 000008
【図７】
2013258639.tif 000009
【図８】
2013258639.tif 000010
【図９】
2013258639.tif 000011
【図１０】
2013258639.tif 000012
【図１１】
2013258639.tif 000013
【図１２】
2013258639.tif 000014